(57)【要約】【課題】パネルが位置決め固定され、パネルの連結が容易で、水路の補修すべき壁面を効率良く被覆、補修でき、パネルを連結する溝形連結材に水が浸入、凍結して溝形連結材が変形、破損する心配もない水路構造体を提供する。【解決手段】固定片１ｄを有し両側板１ａに開口部１ｃを形成した溝形連結材１を水路の補修すべき壁面１０１に配設して固定片１ｄを止具４で固定し、パネル２を並べてその凸条２ｂを溝形連結材１に嵌め込むと共に、凸条２ｂの抜止め２ｃを溝形連結材１の係合部１ｂに係合させてパネル同士を連結し、パネル相互間に目地材３を挟み込んで壁面被覆体を形成し、壁面被覆体と壁面１０１の間に裏込め剤７を充填、固化させた水路構造体とする。溝形連結材でパネルを位置決めして容易に連結でき、壁面被覆体で効率良く壁面を被覆補修でき、溝形連結材に導入、充填された裏込め剤７で水の浸入、凍結をなくして破損を防ぐ。【選択図】図３
2009144493.tif 000002
【特許請求の範囲】
【請求項１】
裏面からアンカーが突設され、両側端から抜止め部を有する凸条が裏側に向かって突設された矩形状のパネルと、
両側板に開口部が形成され、両側板の上端から係合部が内側へ突設されると共に、下端から片側又は両側へ固定片が突設された溝形連結材と、
目地材と、を用いて、
コンクリート製の水路の補修すべき壁面に、上記溝形連結材を上記パネルの幅寸法よりも上記目地材の略幅寸法だけ大きいピッチ間隔で平行に複数配設して、溝形連結材の上記固定片を止具で壁面に固定し、上記パネルを複数枚並べて互いに隣接する上記凸条を各溝形連結材に嵌め込むと共に、凸条の上記抜止め部を溝形連結材の上記係合部に係合させてパネル同士を幅方向に連結しながら溝形連結材に取付け、これらのパネルの相互間に上記目地材を挟み込むことによって壁面被覆体を形成し、この壁面被覆体と壁面との間に裏込め剤を充填して固化させたことを特徴とする水路構造体。
【請求項２】
上記壁面被覆体が、溝形連結材とパネルの長さ方向を水路の長さ方向に一致させて形成したものであることを特徴とする請求項１に記載の水路構造体。
【請求項３】
上記壁面被覆体を水路の底壁上面及び両側壁内面に形成し、水路の底壁上面を被覆する壁面被覆体の両側端のパネルと、水路の両側壁内面を被覆する壁面被覆体の下端のパネルを、コーナー部材を介して連結し、これらの壁面被覆体及びコーナー部材と、水路の底壁上面及び両側壁内面との間に、裏込め剤を充填して固化させたことを特徴とする請求項２に記載の水路構造体。
【請求項４】
上記壁面被覆体を水路の底壁上面及び両側壁内面において水路の長さ方向に複数並べて形成し、水路の底壁上面を被覆する各壁面被覆体の両側端のパネルと、水路の両側壁内面を被覆する各壁面被覆体の下端のパネルとを、コーナー部材を介してそれぞれ接続すると共に、水路の長さ方向に並んだ各壁面被覆体の互いに突き合わされたパネルの端部同士を連結材で連結し、これらの壁面被覆体及びコーナー部材及び連結材と、水路の底壁上面及び両側壁内面との間に裏込め剤を充填して固化させたことを特徴とする請求項２に記載の水路構造体。
【請求項５】
上記コーナー部材として、その両側端から抜止め部を有する凸条を下向き及び横外向きに突設したものを使用し、コーナー部材の一側端の凸条とこれに隣接するパネルの凸条、及び、コーナー部材の他側端の凸条とこれに隣接するパネルの凸条を、溝形連結材に嵌め込むと共に、凸条の抜止め部を溝形連結材の係合部に係合させて、コーナー部材とこれに隣接するパネルを連結したことを特徴とする請求項３又は請求項４に記載の水路構造体。
【請求項６】
上記連結材として、両側面に支持凸部を有し、この支持凸部に小溝を形成したものを使用し、互いに突き合わされたパネルのアンカーの端部を小溝に挿入する共に、パネルの端部を支持凸部に支持させて、パネルの端部同士を連結したことを特徴とする請求項４に記載の水路構造体。
【請求項７】
上記壁面被覆体が、溝形連結材とパネルの長さ方向を水路の長さ方向と直交する方向に一致させて形成したものであることを特徴とする請求項１に記載の水路構造体。
【請求項８】
上記壁面被覆体を水路の底壁上面及び両側壁内面に形成し、水路の底壁上面を被覆する壁面被覆体のパネルの両端部と、水路の両側壁内面を被覆する壁面被覆体のパネルの下端部を、コーナー連結材で連結し、これらの壁面被覆体及びコーナー連結材と、水路の底壁上面及び両側壁内面との間に、裏込め剤を充填して固化させたことを特徴とする請求項７に記載の水路構造体。
【請求項９】
上記コーナー連結材として、垂直側面と水平上面を有し、垂直側面と水平上面に支持凸部をそれぞれ設けてこれらの支持凸部に小溝を形成したものを使用し、水路の底壁上面を被覆する壁面被覆体のパネルのアンカーの端部と、水路の側壁内面を被覆する壁面被覆体のパネルのアンカーの下端部を、コーナー連結材の垂直側面と水平上面に設けた支持凸部の小溝に挿入すると共に、底壁上面を被覆する壁面被覆体のパネルの端部と、側壁内面を被覆する壁面被覆体のパネルの下端部を、コーナー連結材の垂直側面と水平上面に設けた支持凸部に支持させて連結したことを特徴とする請求項８に記載の水路構造体。
【発明の詳細な説明】
【技術分野】
【０００１】
本発明は、既設のコンクリート製の水路の補修、更生に適した水路構造体に関する。
【背景技術】
【０００２】
既設のコンクリート製の水路は、水や流砂による磨耗、凍結融解、塩害、酸による腐食により、コンクリート壁が劣化、損傷するという問題がある。
【０００３】
かかる問題に対処するため、コンクリート製の水路の補修対象壁面に、先端の拡幅された複数条の平行なアンカー突起が設けられた熱可塑製樹脂からなる複数枚のライニング板を、水路の補修対象壁面にアンカー突起を向けて隙間を形成しながら流下方向に連結すると共に、ジョイント部材で幅方向に接続し、補修対象壁面とライニング板との間に裏込め剤を充填、固化させた水路構造であって、流下方向で接続されるライニング板同士の接続部は、上流側のライニング板が上層に配置されるとともに下流側のライニング板が下層に配置され、かつ上層ライニング板のアンカー突起が除去された補修対象壁側の面に、下層ライニング板の仕上げ内面が接合された構成の水路構造が提案されている（特許文献１）。
【０００４】
また、水路構造ではないが、コンクリート管本体の内壁面に沿ってコンクリート管の円周方向に分割された複数枚のプラスチック製のライニング板が充填材を介して添設されているコンクリート管において、コンクリート管本体の内壁面の側には連結固定部材が固設され、この連結固定部材のコンクリート管本体の中心側から見た壁面には、コンクリート管の管軸方向に沿って全通した奥広がり形状の連結溝が形成され、該連結溝には、ライニング板の隣接する分割縁に沿って突設された頭部を幅広とした接合片が嵌合された状態で、ライニング板が連結固定されているコンクリート管が知られている（特許文献２）。
【特許文献１】特開２００７−１５４４５１号公報
【特許文献２】特開昭６３−２６８８３２号公報
【発明の開示】
【発明が解決しようとする課題】
【０００５】
しかしながら、上記特許文献１の水路構造では、ジョイント部材が補修対象壁面に固定されていないため、ライニング板と補修対象壁面との間に裏込め剤を充填する際には、ライニング板を支持体で水路の内側から支持して位置決めする必要があり、この位置決め作業が容易でないという問題があった。しかも、流下方向にライニング板を連結する際には、アンカー突起を一部切除する必要があるため、施工に手間がかかるという問題があった。
【０００６】
一方、上記特許文献２のライニング構造を採用する場合は、連結固定部材が内壁面に固定されるのでライニング板の位置決めは容易であるが、連結固定部材の連結溝の開口幅が狭いため、ライニング板の接合片を連結溝に嵌め込んで接続する作業が容易でなく、しかも、奥広がりの連結溝に水が入って溜まりやすいため、溜まった水が凍結すると連結固定部材が破壊されるという問題があった。
【０００７】
本発明は上記事情の下になされたもので、その解決しようとする課題は、パネル（ライニング板）が位置決め固定され、パネルの幅方向及び長さ方向の連結が容易であって、水路の補修すべき壁面を効率良く被覆、補修でき、パネルを幅方向に連結する溝形連結材に水が浸入、凍結して溝形連結材が変形、破損する心配もない、水路構造体を提供することにある。
【課題を解決するための手段】
【０００８】
上記課題を解決するため、本発明に係る水路構造体は、
裏面からアンカーが突設され、両側端から抜止め部を有する凸条が裏側に向かって突設された矩形状のパネルと、
両側板に開口部が形成され、両側板の上端から係合部が内側へ突設されると共に、下端から片側又は両側へ固定片が突設された溝形連結材と、
目地材と、を用いて、
コンクリート製の水路の補修すべき壁面に、上記溝形連結材を上記パネルの幅寸法よりも上記目地材の略幅寸法だけ大きいピッチ間隔で平行に複数配設して、溝形連結材の上記固定片を止具で壁面に固定し、上記パネルを複数枚並べて互いに隣接する上記凸条を各溝形連結材に嵌め込むと共に、凸条の上記抜止め部を溝形連結材の上記係合部に係合させてパネル同士を幅方向に連結しながら溝形連結材に取付け、これらのパネルの相互間に上記目地材を挟み込むことによって壁面被覆体を形成し、この壁面被覆体と壁面との間に裏込め剤を充填して固化させたことを特徴とするものである。
【０００９】
本発明の水路構造体は、請求項２のように、上記壁面被覆体が溝形連結材とパネルの長さ方向を水路の長さ方向に一致させて形成したものである場合と、請求項７のように、上記壁面被覆体が溝形連結材とパネルの長さ方向を水路の長さ方向と直交する方向に一致させて形成したものである場合とに大別される。
【００１０】
前者の場合、即ち、壁面被覆体が溝形連結材とパネルの長さ方向を水路の長さ方向に一致させて形成したものである場合は、請求項３のように、壁面被覆体を水路の補修すべき底壁上面及び両側壁内面に形成し、水路の底壁上面を被覆する壁面被覆体の両側端のパネルと、水路の両側壁内面を被覆する壁面被覆体の下端のパネルを、コーナー部材を介して連結し、これらの壁面被覆体及びコーナー部材と、水路の底壁上面及び両側壁内面との間に、裏込め剤を充填して固化させることが望ましい。
【００１１】
また、前者の場合は、請求項４のように、壁面被覆体を水路の底壁上面及び両側壁内面において水路の長さ方向に複数並べて形成し、水路の底壁上面を被覆する各壁面被覆体の両側端のパネルと、水路の両側壁内面を被覆する各壁面被覆体の下端のパネルとを、コーナー部材を介してそれぞれ接続すると共に、水路の長さ方向に並んだ各壁面被覆体の互いに突き合わされたパネルの端部同士を連結材で連結し、これらの壁面被覆体及びコーナー部材及び連結材と、水路の底壁上面及び両側壁内面との間に、裏込め剤を充填して固化させることも望ましい。
【００１２】
そして、請求項５のように、コーナー部材として、その両側端から抜止め部を有する凸条を下向き及び横外向きに突設したものを使用し、コーナー部材の一側端の凸条とこれに隣接するパネルの凸条、及び、コーナー部材の他側端の凸条とこれに隣接するパネルの凸条を、溝形連結材に嵌め込むと共に、凸条の抜止め部を溝形連結材の係合部に係合させて、コーナー部材とこれに隣接するパネルを連結することが望ましく、更に、請求項６のように、連結材として、両側面に支持凸部を有し、この支持凸部に小溝を形成したものを使用して、互いに突き合わされたパネルのアンカーの端部を小溝に挿入する共に、パネルの端部を支持凸部に支持させて、パネルの端部同士を連結することが望ましい。
【００１３】
一方、後者の場合、即ち、壁面被覆体が溝形連結材とパネルの長さ方向を水路の長さ方向と直交する方向に一致させて形成したものである場合は、請求項８のように、壁面被覆体を水路の底壁上面及び両側壁内面に形成し、水路の底壁上面を被覆する壁面被覆体のパネルの両端部と、水路の両側壁内面を被覆する壁面被覆体のパネルの下端部を、コーナー連結材で連結し、これらの壁面被覆体及びコーナー連結材と、水路の底壁上面及び両側壁内面との間に、裏込め剤を充填して固化させることが望ましい。
【００１４】
そして、請求項９のように、上記コーナー連結材として、垂直側面と水平上面を有し、垂直側面と水平上面に支持凸部をそれぞれ設けてこれらの支持凸部に小溝を形成したものを使用し、水路の底壁上面を被覆する壁面被覆体のパネルのアンカーの端部と、水路の側壁内面を被覆する壁面被覆体のパネルのアンカーの下端部を、コーナー連結材の垂直側面と水平上面に設けた支持凸部の小溝に挿入すると共に、底壁上面を被覆する壁面被覆体のパネルの端部と、側壁内面を被覆する壁面被覆体のパネルの下端部を、コーナー連結材の垂直側面と水平上面に設けた支持凸部に支持させて連結することが望ましい。
【発明の効果】
【００１５】
本発明の水路構造体のように、溝形連結材の固定片をコンクリート製水路の補修すべき壁面に止具で固定し、互いに隣接するパネルの凸条を溝形連結材に嵌め込むと共に、凸条の抜止め部を溝形連結材の両側板上端の係合部に係合させてパネル同士を幅方向に連結しながら溝形連結材に取付け、パネル相互間に目地材を挟み込んで壁面被覆体を形成すると、壁面被覆体のパネルが壁面から溝形連結材の高さに等しい間隔をあけて位置決め固定されるため、前記特許文献１のように他の支持体でパネルを水路の内側から支持して位置決めすることなく、そのままの状態で壁面被覆体と壁面との間に裏込め剤を充填できるようになり、その分、施工性が向上する。そして、パネルと壁面との間に充填された裏込め剤は、溝形連結材の両側板の開口部から溝形連結材の内部にも侵入して充填されるため、溝形連結材の両側の裏込め剤が溝形連結材の開口部のところで連続して分断されなくなり、裏込め剤充填層の強度が向上する。また、溝形連結材が裏込め剤で充填されると、溝形連結材に水が浸入して溜まることがないため、凍結によって溝形連結材が変形、破損する心配も解消される。更に、パネル相互間に目地材を挟み込むと、パネル相互の隙間が目地材で埋められ、該隙間からの裏込め剤の漏れ出しが防止されると共に、目地材によって、パネルの凸条が溝形連結材の両側板上端の係合部に押し付けられて凸条の抜止め部が係合部に確実に係合するため、裏込め剤を充填する際に、抜止め部と係合部の係合が解除されて、パネルが溝形連結材から外れる心配もなくなる。また、パネルの凸条を溝形連結材に嵌め込むときは、溝形連結材の上端開放幅（両側板上端の係合部相互間の間隔）に目地材の略幅寸法分の余裕があるので、嵌め込み作業が容易である。
【００１６】
そして、前記の請求項２〜６の水路構造体は、壁面被覆体の溝形連結材とパネルの長さ方向を水路の長さ方向に一致させ、水路の底壁上面を被覆する壁面被覆体の両側端のパネルと、両側壁内面を被覆する壁面被覆体の下端のパネルを、コーナー部材を介して接続し、更に、水路の底壁上面と両側壁内面において水路の長さ方向に並べた壁面被覆体の互いに突き合わされたパネルの端部同士を連結材で接続することによって、コンクリート製水路の補修すべき底壁上面及び両側壁内面を効率良く被覆、補修することができる。
【００１７】
一方、前記の請求項７〜９の水路構造体は、壁面被覆体の溝形連結材とパネルの長さ方向を水路の長さ方向と直交する方向に一致させ、水路の底壁上面を被覆する壁面被覆体のパネルの両端部と、両側壁内面を被覆する壁面被覆体のパネルの下端部をコーナー連結材で連結することによって、コンクリート製水路の補修すべき底壁上面及び両側壁内面を効率良く被覆、補修することができる。
【発明を実施するための最良の形態】
【００１８】
以下、図面を参照して本発明の具体的な実施形態を詳述する。
【００１９】
図１は本発明の一実施形態に係る水路構造体の部分斜視図、図２は同水路構造体の横断面図、図３は図２の円で囲んだ部分の拡大図、図４の（ａ）は同水路構造体に使用されるパネルの側面図、図４の（ｂ）はそのＡ−Ａ線断面図、図５の（ａ）は同水路構造体に使用される溝形連結材の平面図、図５の（ｂ）はその側面図、図５の（ｃ）はそのＢ−Ｂ線拡大断面図、図５の（ｄ）はそのＣ−Ｃ線拡大断面図、図６の（ａ）は同水路構造体に使用される目地材の側面図、図６の（ｂ）はそのＤ−Ｄ線断面図、図７の（ａ）は同水路構造体に使用されるコーナー部材の側面図、図７の（ｂ）はそのＥ−Ｅ線断面図、図８は同水路構造体に使用される連結材の斜視図、図９の（ａ）は同連結材を用いて互いに突き合わされたパネルの端部を連結した部分の平面図、図９の（ｂ）はそのＦ−Ｆ線断面図、図９の（ｃ）はそのＧ−Ｇ線断面図である。
【００２０】
図１，図２に示す水路構造体は、壁面被覆体を構成する溝形連結材１とパネル２の長さ方向を、凹形断面形状を有する既設のコンクリート製の水路１００の長さ方向に一致させ、壁面被覆体で水路１００の補修すべき底壁上面１０１及び左右の側壁内面１０２，１０２を被覆、補修したものである。
【００２１】
壁面被覆体の構成部品である溝形連結材１は、図５に示すように、Ｕ形の断面形状を有する長尺の連結材であって、その両側板１ａ，１ａの上端から係合部１ｂ，１ｂが内側斜め下向きに突設されている。この係合部１ｂは、後述するパネル１の凸条２ｂに形成された抜止め部２ｃと係合して、パネル１が溝形連結材１から外れないように固定するものである。
【００２２】
溝形連結材１の両側板１ａ，１ａには、方形の開口部１ｃ，１ｃが一定の間隔で連結材全長に亘って形成されており、この開口部１ｃ，１ｃを形成するために両側板を切出した部分が、固定片１ｄ，１ｄとして両側板１ａ，１ａの下端から両外側へ展開されて突き出している。そして、この固定片１ｄ，１ｄに、後述するアンカーボルトなどの止具４を挿通する止具挿通孔１ｅ，１ｅが形成されている。
【００２３】
開口部１ｃは後述する裏込め剤７を溝形連結材１の内部へ導入、充填する役目を果たすものであるから、裏込め剤７を隙間なく溝形連結材１に充填できるように１０〜２０ｃｍ程度の間隔で連結材全長に形成することが好ましい。また、両側板１ａの下端から別部材の固定片を突設してもよいが、上記のように開口部１ｃを形成するために切出した部分を展開して固定片１ｄとして利用すると、別部材の固定片を突設することが不要となるので、経済的に有利である。
【００２４】
上記の溝形連結材１は、厚さ１ｍｍ程度のメッキ鋼板を加工して作製すると、錆びにくく十分な強度を有するものが得られるので極めて好ましいが、材質は特に制限されるものではなく、アルミニウムその他の金属やＦＲＰなどで作製しても勿論よい。また、上記の溝形連結材１は、固定片１ｄを両側板１ａ，１ａの下端から両側に設けているが、片側のみに設けるようにしてもよい。
【００２５】
壁面被覆体のもう一つの構成部品であるパネル２は、ポリ塩化ビニルなどの熱可塑性樹脂で成形された矩形状の長尺成形品であって、図４に示すように、その表面（上面）にはＡＡＳ等の高耐候性樹脂からなる耐候性表面層２ａが積層されており、これによってパネル２の耐候性が高められている。そして、このパネル２の両側端から凸条２ｂ，２ｂが裏側に向かって突設されており、これらの凸条の内面側には、前記溝形連結材１の係合部１ｂ，１ｂに係合される抜止め部２ｃ，２ｃが形成されている。また、このパネル２の上面の両側端には、後述する目地材３の頭部３ａを嵌め受ける凹段部２ｄ，２ｄが形成されており、更に、パネル２の裏面には、下端部２ｆが両側に突き出した逆Ｔ形断面を有するアンカー２ｅが、パネル全長に亘って互いに平行に複数（図例では２つ）突設されている。
【００２６】
壁面被覆体の更にもう一つの構成部品である目地材３は、パネル相互間に挟み込まれるものであって、図６に示すように、幅寸法ｗを有し、目地材上端には上記パネル２の凹段部２ｄに嵌まり込む帯板状の頭部３ａが形成されており、また、目地材下端には上記パネル２の凸条２ｂの下端に係合させる膨出部３ｂが形成されている。そして、シール性を高めるために、目地材３の両側面にはシール材層３ｃ，３ｃが形成されており、このシール材層３ｃ，３ｃには変形自在なヒレ部３ｄも複数形成されている。
【００２７】
目地材３やシール材層３ｃの材質は特に限定されないが、目地材３は耐候性に優れた前記ＡＡＳ等の樹脂（ゴム類を含む）で作製することが好ましく、また、シール材層３ｃは軟質塩化ビニル樹脂等の軟質樹脂（ゴム類を含む）で作製することが好ましい。
【００２８】
既設水路１００の補修すべき底壁上面１０１を被覆する壁面被覆体は、上記の溝形連結材１、パネル２、目地材３を用いて、以下の要領で形成されている。即ち、底壁上面１０１に、溝形連結材１の長さ方向と水路１００の長さ方向を一致させて、複数の溝形連結材１をパネル２の幅寸法よりも目地材３の略幅寸法ｗだけ大きいピッチ間隔で互いに平行に配設し、図３に示すように、溝形連結材１の固定片１ｄの止具挿通孔１ｅから打ち込んだアンカーボルト等の止具４で固定片１ｄを底壁上面１０１に固定して、溝形連結材１を底壁上面１０１に取付ける。次に、パネル２の長さ方向と水路１００の長さ方向を一致させて複数枚のパネル２を並べ、図３に示すように、互いに隣接するパネル２，２の凸条２ｂ，２ｂを溝形連結材１に嵌め込んで、凸条２ｂ，２ｂの抜止め部２ｃ，２ｃを溝形連結材１の両側板上端の係合部１ｂ，１ｂに下方から係合させ、隣接するパネル２，２同士を幅方向に連結して溝形連結材１から外れないように取付ける。そして、これらのパネル相互間に目地材３を挟み込み、隙間を埋めてシール性を高めると共に、隣接するパネル２，２の凹段部２ｄ，２ｄに目地材の頭部３ａを嵌め込んで、パネル連結部を平坦面とし、目地材３が抜けないように、目地材下端の膨出部３ｂを隣接するパネル２，２の凸条２ｂ，２ｂの下端に係合させることによって、補修すべき底壁上面１０１を被覆する壁面被覆体が形成されている。
【００２９】
水路１００の補修すべき両側壁内面１０２，１０２を被覆する壁面被覆体も、上記の壁面被覆体と全く同様に形成されている。そして、水路の底壁上面１０１を被覆する上記壁面被覆体の両側端のパネル２，２と、両側壁内面１０２，１０２を被覆する壁面被覆体の下端のパネル２，２は、図１，図２に示すように、コーナー部材５，５を介して連結されている。
【００３０】
このコーナー部材５は、図７に示すように、前記パネル２を幅方向中央部で直角に折り曲げた形状をしている。即ち、このコーナー部材５は、耐候性表面層５ａを形成したＬ形断面形状の屈曲樹脂板からなるものであって、コーナー部材の一側端（図例では右側端）には凸条５ｂが下向きに突設されており、他側端（図例では上側端）には凸条５ｂが横外向きに突設されている。そして、これらの凸条５ｂ，５ｂには、抜止め部５ｃ，５ｃが形成されている。また、このコーナー部材５の両側端の表面には、目地材３の頭部３ａを嵌め受ける凹段部５ｄ，５ｄが形成されており、更に、コーナー部材５の裏面には、先端部が両側に突き出した逆Ｔ形断面を有する２つのアンカー５ｅ，５ｅが、それぞれ下向きと横外向きに突設されている。
【００３１】
このコーナー部材５は、以下の要領で、底壁上面１０１を被覆する壁面被覆体の側端のパネル２、及び、側壁内面１０２を被覆する壁面被覆体の下端のパネル２と連結されている。即ち、図７の（ｂ）に示すように、コーナー部材５の一側端の凸条５ｂ（図例では右側端の凸条）とこれに隣接するパネル２の凸条２ｂ（底壁上面１０１を被覆する壁面被覆体の側端のパネル２の凸条２ｂ）を一方の溝形連結材１に嵌め込むと共に、コーナー部材５の他側端の凸条５ｂ（図例では上側端の凸条）とこれに隣接するパネル２の凸条２ｂ（側壁内面１０２を被覆する壁面被覆体の下端のパネル２の凸条２ｂ）を他方の溝形連結材１に嵌め込んで、それぞれの凸条の抜止め部５ｃ，２ｃを溝形連結材１の係合部１ｂ，１ｂに係合させ、更に目地材３をパネル２の凸条２ｂとコーナー部材５の凸条５ｂとの間に挟み込むことによって、コーナー部材５と双方のパネル２，２が溝形連結材１から外れないように互いに連結されている。
【００３２】
この水路１００の底壁上面１０１及び両側壁内面１０２，１０２には、壁面被覆体が水路１００の長さ方向に複数並べて形成されており、水路１００の長さ方向に並んだ各壁面被覆体の互いに突き合わされたパネル２，２の端部同士が連結材６で連結されている。
【００３３】
この連結材６は、図９に示すように、パネル２の幅寸法に等しい長さを有するものであって、図８，図９に示すように、その両側面には支持凸部６ａ，６ａが設けられており、該支持凸部６ａ，６ａには、パネル２のアンカー２ｅの端部を挿入する縦方向の小溝６ｂが、アンカー２ｅの相互間隔に等しい相互間隔をあけて、アンカー２ｅと同数（図例では２つ）形成されている。この小溝６ｂの上下方向の寸法は、アンカー２ｅの両側に突出する下端部２ｆを除いたアンカー２ｅの高さ寸法とほぼ同一とされ、アンカー２ｅの端部を小溝６ｂに挿入すると、アンカー２ｅの下端部２ｆが小溝６ｂの両側の支持凸部６ａの下面と係合するようになっている。また、支持凸部６ａの両端には、パネルを連結する際にパネル両側端の凸条２ｂ，２ｂが当たらないように逃げるための切欠部６ｃ，６ｃが形成されている。
【００３４】
水路の長さ方向に互いに突き合わされたパネル２，２の端部同士の連結は、上記連結材６の小溝６ｂ，６ｂにパネル２，２のアンカー２ｅ，２ｅの端部を両側から挿入すると共に、パネル２，２の端部を連結材６の両側面に設けられた支持凸部６ａ，６ａに重ねて、連結材６の上面と双方のパネル２，２の上面が面一になるように支持させることによって行われている。このように連結すると、図９の（ｂ）（ｃ）に示すように、アンカー２ｅの下端部２ｆが小溝６ｂの両側の支持凸部６ａの下面に係合して、支持凸部６ａがパネル２の端部とアンカー２ｅの下端部２ｆとで上下から挟持された状態となるため、連結材６がパネル２，２の端部から脱落する心配はない。また、連結材６の上面とパネル２，２の上面が面一になるので、固形物が引っ掛かったり、水の流れが妨げられたりする心配もない。
【００３５】
尚、互いに突き合わされたコーナー部材５の端部同士の連結は、上記の連結材６を長さ方向中間部で直角に屈曲させた形状の連結材を用いて行えばよい。
【００３６】
図１，図２に示す水路構造体は、上記のように壁面被覆体を水路１００の底壁上面１０１及び両側壁内面１０２，１０２において水路１００の長さ方向に複数並べて形成し、水路の底壁上面１０１を被覆する各壁面被覆体の両側端のパネル２，２と、水路の両側壁内面１０２，１０２を被覆する各壁面被覆体の下端のパネル２，２とを、上記のコーナー部材５，５を介してそれぞれ接続すると共に、水路の長さ方向に並んだ各壁面被覆体の互いに突き合わされたパネル２，２の端部同士を上記の連結材６で連結し、これらの壁面被覆体及びコーナー部材５及び連結材６と、水路の底壁上面１０１及び両側壁内面１０２，１０２との間に、裏込め剤７を充填して固化させたものである。裏込め材７としては、コンクリート、セメントミルク、グラウト剤、モルタル、レジンモルタルなどが使用される。
【００３７】
この水路構造体のように、溝形連結材１の固定片１ｄを、コンクリート製の既設水路１００の補修すべき底壁上面１０１及び両側壁内面１０２、１０２に止具４で固定し、互いに隣接するパネル２，２の凸条２ｂ，２ｂを溝形連結材１に嵌め込むと共に、凸条２ｂ，２ｂの抜止め部２ｃ，２ｃを溝形連結材１の両側板上端の係合部１ｂ，１ｂに係合させて、パネル２，２同士を幅方向に連結しながら溝形連結材１に取付け、パネル２，２相互間に目地材３を挟み込んで壁面被覆体を形成し、コーナー部材５や連結材６で壁面被覆体の連結を行うと、壁面被覆体のパネル２やコーナー部材５が、底壁上面１０１及び両側壁内面１０２、１０２から溝形連結材１の高さに等しい間隔をあけて位置決め固定されるため、他の支持手段でパネル２を水路の内側から支持して位置決めすることなく、そのままの状態で壁面被覆体、コーナー部材５及び連結材６と、底壁上面１０１及び両側壁内面１０２、１０２との間に裏込め剤７を充填できるようになり、その分、施工性が向上する。
【００３８】
このように裏込め剤７を充填すると、パネル２裏面のアンカー２ｅが裏込め剤７に埋まるため、パネル２は裏込め剤７充填層の内面に剥離不能に貼着されることになる。そして、この裏込め剤７は、溝形連結材１の両側板の開口部１ｃ，１ｃから溝形連結材１の内部にも侵入して充填されるため、溝形連結材１の両側の裏込め剤７が溝形連結材１の開口部１ｃのところで連続して分断されなくなり、裏込め剤７充填層の強度が向上する。また、溝形連結材１が裏込め剤７で充填されると、溝形連結材１に水が浸入して溜まることがないため、凍結によって溝形連結材１が変形、破損する心配も解消される。
【００３９】
更に、パネル２，２相互間に目地材３を挟み込むと、パネル相互の隙間が目地材３で埋められてシール性が高められ、該隙間からの裏込め剤７の漏れ出しを防止できると共に、目地材３によって、パネル２の凸条２ｂが溝形連結材１の両側板上端の係合部１ｂに押し付けられて凸条２ｂの抜止め部２ｃが係合部１ｂに確実に係合するため、裏込め剤７を充填する際に、抜止め部２ｃと係合部１ｂの係合が解除されて、パネル２が溝形連結材１から外れる心配もなくなる。また、パネル２の凸条２ｂを溝形連結材１に嵌め込むときは、溝形連結材１の上端開放幅（両側板上端の係合部１ｂ，１ｂ相互間の間隔）に目地材３の略幅寸法分の余裕があるので、嵌め込み作業が容易である。
【００４０】
加えて、壁面被覆体を形成する作業は比較的簡単であり、また、コーナー部材５や連結材６で壁面被覆体のパネル２を連結する作業は更に簡単であるから、水路の補修すべき壁面を効率良く被覆、補修することができる。
【００４１】
水路１００の底壁上面１０１を被覆する壁面被覆体の側端のパネル２と、側壁内面１０２を被覆する壁面被覆体の下端のパネル２を接続するコーナー部材は、前述したコーナー部材５に限定されるものではなく、種々の形状のものを使用することができる。図１０はそのようなコーナー部材の他の例を示す断面図であって、このコーナー部材５０は、一側端の横板部５０ｂと他側端（上側端）の縦板部５０ｃを除いた部分が４５度傾斜する傾斜板部５０ａに形成されており、傾斜板部５０ａの裏面中央から直角にアンカー５０ｄが突設されている。その他の構成は前述したコーナー部材５と同様であるので、図１０において同一部分に同一符号を付すにとどめ、重複説明を省略する。
【００４２】
このようなコーナー部材５０も、前述したコーナー部材５と同様に、一側端の凸条５ｂ（図例では右側端の凸条）とこれに隣接するパネル２の凸条２ｂを一方の溝形連結材１に嵌め込むと共に、他側端の凸条５ｂ（図例では上側端の凸条）とこれに隣接するパネル２の凸条２ｂを他方の溝形連結材１に嵌め込んで、それぞれの凸条の抜止め部５ｃ，２ｃを溝形連結材１の係合部１ｂ，１ｂに係合させ、更に目地材３をパネル２の凸条２ｂとコーナー部材５０の凸条５ｂとの間に挟み込むことによって、溝形連結材１から外れないようにパネル２，２と連結される。
【００４３】
尚、上記のコーナー部材５０や前記のコーナー部材５に代えて、パネル２をコーナー部材として４５度に傾斜させて兼用してもよい。このようにパネル２をコーナー部材として兼用しても、溝形連結材１の上端開放幅には余裕があるので、両側端の凸条２ｂ，２ｂを溝形連結材１に斜め方向に嵌め込んで、隣接するパネルと連結することが可能である。
【００４４】
図１１は本発明の他の実施形態に係る水路構造体の部分斜視図、図１２の（ａ）は同水路構造体に使用されるコーナー連結材とこれに連結される縦方向のパネルを外側斜め上方から見た斜視図、図１２の（ｂ）は同コーナー連結材とこれに連結される横方向のパネルを内側斜め上方から見た斜視図、図１３の（ａ）はコーナー連結材の他の例を示す斜視図、図１３の（ｂ）はその正面図である。
【００４５】
図１１に示す水路構造体は、壁面被覆体を構成する溝形連結材１とパネル２の長さ方向を、既設のコンクリート製の水路１００の長さ方向と直交する方向に一致させ、壁面被覆体で水路１００の補修すべき底壁上面１０１及び左右の側壁内面１０２，１０２を被覆、補修したものである。
【００４６】
即ち、この通路構造体は、前述した溝形連結材１とパネル２と目地材３を用いて、底壁上面１０１及び両側壁内面１０２，１０２に、溝形連結材１をその長さ方向と水路１００の長さ方向を一致させながら前記と同様のピッチ間隔で平行に配設、固定し、パネル２をその長さ方向と水路１００の長さ方向を一致させて複数枚並べながら、前記と同様に連結して各溝形連結材１に外れないように取付け、パネル相互間に目地材３を挟み込んで壁面被覆体を形成すると共に、水路の底壁上面１０１を被覆する壁面被覆体のパネル２の両端部と、水路の両側壁内面１０２，１０２を被覆する壁面被覆体のパネル２の下端部を、コーナー連結材８で連結し、これらの壁面被覆体及びコーナー連結材８と、水路の底壁上面１０１及び両側壁内面１０２，１０２との間に、裏込め剤７を充填して固化させたものである。
【００４７】
上記コーナー連結材８は、図１２に示すように、パネル２の幅寸法に等しい長さを有するものであって、内側斜面８ａの両側に垂直側面８ｂと水平上面８ｃを有し、これらの垂直側面８ｂと水平上面８ｃに支持凸部８ｄ，８ｄがそれぞれ設けられている。そして、これらの支持凸部８ｄ，８ｄには、パネル２のアンカー２ｅの端部を挿入する小溝８ｅ，８ｅが、アンカー２ｅの相互間隔に等しい相互間隔をあけて、アンカー２ｅと同数（図例では２つ）形成されている。垂直側面８ｂから突き出す支持凸部８ｄに形成された小溝８ｅの上下寸法、及び、水平上面８ｃから突き出す支持凸部８ｄに形成された小溝８ｅの左右寸法は、いずれもアンカー２ｅの両側に突出する下端部２ｆを除いたアンカー２ｅの高さ寸法とほぼ同一とされており、アンカー２ｅの端部を小溝８ｅに挿入すると、アンカー２ｅの下端部２ｆが小溝８ｅの両側の支持凸部８ｄと係合するようになっている。また、支持凸部８ｄの両端には、パネルを連結する際にパネル両側端の凸条２ｂ，２ｂが当たらないように逃げるための切欠部８ｆ，８ｆが形成されている。
【００４８】
水路の底壁上面１０１を被覆する壁面被覆体のパネル２の両端部と、水路の両側壁内面１０２，１０２を被覆する壁面被覆体のパネル２の下端部との連結は、上記コーナー連結材８の垂直側面８ｂと水平上面８ｃに設けた支持凸部８ｄ，８ｄのそれぞれの小溝８ｅ，８ｅに、双方のパネル２，２のアンカー２ｅ，２ｅの端部を内側と上側から挿入すると共に、双方のパネル２，２の端部をそれぞれ支持凸部８ｄ，８ｄの上面と側面に重ねて支持させることによって行われている。このように連結すると、コーナー連結材８の支持凸部６ａがパネル２の端部とアンカー２ｅの下端部２ｆとで挟持された状態となるため、コーナー連結材８がパネル２，２の端部から脱落する心配はない。また、コーナー連結材８の内側斜面８ａとパネル２，２の表面が連続するので、固形物が引っ掛かったり、水の流れが妨げられたりする心配もない。
【００４９】
このような水路構造体は、前述した作用効果に加えて、溝形連結材１とパネル２と目地材３とコーナー連結材８の４種類の構成部品で壁面被覆体を形成できるため、前記実施形態の水路構造体よりも壁面被覆体の構成部品の種類を少なくできるという効果もある。
【００５０】
コーナー連結材は、上記のコーナー連結材８のみに限定されるものではなく、上記以外の種々の形状のものを使用することができる。図１３はそのようなコーナー連結材の他の例を示す断面図であって、このコーナー連結材８０は、斜板部８０ａの下端の垂直側面８ｂと上端の水平上面８ｃに支持凸部８ｄ，８ｄを設けて、該支持凸部８ｄ，８ｄにパネル２のアンカー２ｅの端部を挿入する小溝８ｅ，８ｅを形成すると共に、該支持凸部８ｄ，８ｄの両端にパネル２の凸条２ｂ，２ｂを逃げるための切欠部８ｆ，８ｆを形成し、斜板部８０ａの裏面にアンカー８０ｂを突設したものである。
【００５１】
このようなコーナー連結材８０も、前述したコーナー連結材８と同様に、支持凸部８ｄ，８ｄのそれぞれの小溝８ｅ，８ｅに、双方のパネル２，２のアンカー２ｅ，２ｅの端部を内側と上側から挿入し、双方のパネル２，２の端部をそれぞれ支持凸部８ｄ，８ｄに支持させることによって、双方のパネル２，２を簡単に連結することができる。しかも、このコーナー連結材８０は、斜板部０ａの裏面のアンカー８０ｂが裏込め剤に埋まるので、離脱不能に取付けることができる。
【００５２】
尚、水路１００が曲がっている場合は、溝形連結材１の上端開放幅（両側板上端の係合部１ｂ，１ｂ相互間の間隔）に余裕があることを利用し、図１６に示すように、パネル２と目地材３を一端側で可能な限り離隔し、且つ、他端側で密着させることによって、水路１００の曲がりに対応する壁面被覆体を形成することが好ましい。
【００５３】
ところで、図１１に示す水路構造体のように、壁面被覆体を構成する溝形連結材１とパネル２の長さ方向を、コンクリート製の水路１００の長さ方向と直交する方向に一致させ、壁面被覆体で水路１００の補修すべき底壁上面１０１及び側壁内面１０２を被覆、補修するものは、水路１００の幅寸法に対応する長さに切断した溝形連結材１とパネル２を使用することによって、水路１００の底壁上面１０１に合致する幅寸法の壁面被覆体を形成することができる。これに対し、図１，図２に示す水路構造体のように、壁面被覆体を構成する溝形連結材１とパネル２の長さ方向を、コンクリート製の水路１００の長さ方向に一致させ、壁面被覆体で水路１００の補修すべき底壁上面１０１を被覆、補修するものは、壁面被覆体の幅寸法が水路１００の幅寸法に合致しない場合があり、その場合には壁面被覆体の幅寸法を調節することが難しい。
【００５４】
そこで、上記のように壁面被覆体の幅寸法を調節する必要が生じた場合は、図１４に示すパネル２０を用いて調節することが好ましい。即ち、このパネル２０は、前述のパネル２において、更に、両側端の凸条２ｂ，２ｂとアンカー２，２との間、及び、アンカー２，２の相互間に、アンカーを兼ねた抜止め部２ｃ付きの補助凸条２０ｂが、パネル全長に亘って裏面から平行に複数（３つ）突設されたものである。
【００５５】
このようなパネル２０は、調整に必要な幅寸法となるように補助凸条２０ｂに沿って切断され、図１５に示すように、片側のコーナー部材５（図１５では右側のコーナー部材５）の内側に配置されて、切断端部の補助凸条２０ｂとコーナー部材５の凸条５ｂが溝形連結材１に嵌め込まれると共に、更に、目地材３が挟み込まれて、この切断されたパネル２０とコーナー部材５が溝形連結材１から外れないように互いに連結される。これによって、左側のコーナー部材５から右側のコーナー部材５までの幅寸法に対応合致した壁面被覆体が形成される。
【００５６】
尚、図１５では、壁面被覆体を形成するパネルとして全て上記のパネル２０を使用しているが、幅調整のために切断される右側端のパネル２０以外のパネルとして、前記のパネル２を使用してもよいことは言うまでもない。
【００５７】
また、図１５では、幅調整の例を示したが、図１１に示す水路構造体のように、壁面被覆体を構成する溝形連結材１とパネル２の長さ方向を、コンクリート製の水路１００の長さ方向と直交する方向に一致させ、壁面被覆体で水路１００の補修すべき底壁上面１０１及び側壁内面１０２を被覆、補修するものにおいて、図１５で示した幅調整と同様の方法で水路の長さ方向の調整ができることは言うまでもない。
【００５８】
以上、凹形断面形状を有する既設のコンクリート製の水路１００の底壁上面１０１及び左右の側壁内面１０２，１０２を壁面被覆体で被覆、補修する場合を例にとって本発明の水路構造体を説明したが、本発明は角筒形断面形状を有する既設のコンクリート製の水路の底壁上面及び左右の側壁内面、更には上壁下面を壁面被覆体で被覆、補修する場合にも勿論適用されるものである。
【図面の簡単な説明】
【００５９】
【図１】本発明の一実施形態に係る水路構造体の部分斜視図である。
【図２】同水路構造体の横断面図である。
【図３】図２の円で囲んだ部分の拡大図である。
【図４】（ａ）は同水路構造体に使用されるパネルの側面図、（ｂ）はそのＡ−Ａ線断面図である。
【図５】（ａ）は同水路構造体に使用される溝形連結材の平面図、（ｂ）はその側面図、（ｃ）はそのＢ−Ｂ線拡大断面図、（ｄ）はそのＣ−Ｃ線拡大断面図である。
【図６】（ａ）は同水路構造体に使用される目地材の側面図、（ｂ）はそのＤ−Ｄ線断面図である。
【図７】（ａ）は同水路構造体に使用されるコーナー部材の側面図、（ｂ）はそのＥ−Ｅ線断面図である。
【図８】同水路構造体に使用される連結材の斜視図である。
【図９】（ａ）は同連結材を用いて互いに突き合わされたパネルの端部を連結した部分の平面図、（ｂ）はそのＦ−Ｆ線断面図、（ｃ）はそのＧ−Ｇ線断面図である。
【図１０】コーナー部材の他の例を示す断面図である。
【図１１】本発明の他の実施形態に係る水路構造体の部分斜視図である。
【図１２】（ａ）は同水路構造体に使用されるコーナー連結材とこれに連結される縦方向のパネルを外側斜め上方から見た斜視図、（ｂ）は同コーナー連結材とこれに連結される横方向のパネルを内側斜め上方から見た斜視図である。
【図１３】（ａ）はコーナー連結材の他の例を示す斜視図、（ｂ）はその正面図である。
【図１４】本発明の水路構造体に使用されるパネルの他の例を示す断面図である。
【図１５】同パネルを用いて水路の底壁上面を被覆する壁面被覆体の幅寸法を調整した水路構造体の部分断面図である。
【図１６】水路の曲がりに対応するように形成した壁面被覆体の平面図である。
【符号の説明】
【００６０】
１    溝形連結材
１ａ  側板
１ｂ  係合部
１ｃ  開口部
１ｄ  固定片
２，２０    パネル
２ｂ  凸条
２ｃ  抜止め部
２ｅ  アンカー
２０ｂ  補助凸条
３    目地材
４    止具
５，５０  コーナー部材
５ｂ  凸条
５ｃ  抜け止め部
６    連結材
６ａ  支持凸部
６ｂ  小溝
７    裏込め剤
８，８０  コーナー連結材
８ｂ  垂直側面
８ｃ  水平上面
８ｄ  支持凸部
８ｅ  小溝
１００  水路
１０１  底壁上面
１０２  側壁内面
ｗ    目地材の幅寸法
【図１】
2009144493.tif 000003
【図２】
2009144493.tif 000004
【図３】
2009144493.tif 000005
【図４】
2009144493.tif 000006
【図５】
2009144493.tif 000007
【図６】
2009144493.tif 000008
【図７】
2009144493.tif 000009
【図８】
2009144493.tif 000010
【図９】
2009144493.tif 000011
【図１０】
2009144493.tif 000012
【図１１】
2009144493.tif 000013
【図１２】
2009144493.tif 000014
【図１３】
2009144493.tif 000015
【図１４】
2009144493.tif 000016
【図１５】
2009144493.tif 000017
【図１６】
2009144493.tif 000018